(57)【特許請求の範囲】
【請求項１】
筐体の内部に送風機を有し、上記筐体の天面には上記送風機の空気吹出口を有する天面パネルが設けられており、上記天面パネルには上記空気吹出口を覆うファンガードを取り付けるファンガード取付部が所定深さの凹部として設けられている空気調和機の室外機において、
上記ファンガードは、横桟部と、縦桟部とを有し、上記横桟部または上記縦桟部の両端部の前端から後端にかけて連続して固定された左右一対の固定板を有し、上記固定板は、上記ファンガード取付部に固定されるベース部と、上記ベース部の上記空気吹出口側の一端から上方に向かって立ち上がる起立部と、上記起立部の先端から上記ベース部とは離反する方向に向かって延在する支持部とを有する断面クランク状に形成され、上記支持部に上記横桟部または上記縦桟部の端部が支持され、上記ファンガードが上記固定板を介して上記ファンガード取付部に固定されることを特徴とする空気調和機の室外機。
【請求項２】
上記横桟部の上に上記縦桟部が配置されているとともに、上記支持部の下面側に上記横桟部の端部が支持されており、上記横桟部が上記ファンガード取付部に接しないように、上記起立部の立ち上がり高さＨが上記横桟部の直径φ１よりも大きい（Ｈ＞φ１）ことを特徴とする請求項１に記載の空気調和機の室外機。
【発明の詳細な説明】
【技術分野】
【０００１】
本発明は、空気調和機の室外機に関し、さらに詳しく言えば、熱交換器および圧縮機を有する機械室の上部に送風機室が配置されている上吹出型の室外機に関する。
【背景技術】
【０００２】
空気調和機の１つとして、１台の室外機に複数台の室内機が接続されるマルチタイプの空気調和機がある。例えば特許文献１に記載されているように、この空気調和機の室外機は直方体状の筐体を有し、筐体の内部が熱交換器および圧縮機を有する機械室と、送風機を有する送風機室とに区画されている。機械室は筐体の下部に配置され、機械室の上部に送風機室が配置されており、筐体の天面には送風機の空気吹出口を有する天面パネルが設けられている。
【０００３】
特許文献１において、天面パネルには送風機を保護するためのファンガードが取り付けられている。ファンガードは、軟鋼線材を横方向（筐体の左右方向）に互いに平行に複数配列した横桟部と、軟鋼線材を縦方向（筐体の前後方向）に互いに平行に複数配列した縦桟部とを有し、それらの交差部を溶接したのち表面を塩ビ樹脂で被覆した四角い格子状に形成されている。
【０００４】
特許文献１において、ファンガードの四隅には、横桟部の端部をそれぞれＵ字状に折り曲げてループ状に形成したネジ止め部が形成されている（特許文献１の図４参照）。このネジ止め部を筐体の天面パネルにネジ止めすることにより、ファンガードが筐体に固定されるようになっている。
【０００５】
しかしながら、特許文献１に記載のファンガードは軟鋼線材が用いられているため、ファンガードの上に人が乗ったり、物が落ちたりして大きな荷重が加わると、簡単に変形してしまう。とりわけ、特許文献１に記載のファンガードは、四隅でのみネジ止めされているため、変形しやすい。
【０００６】
また、特許文献１において、輸送時に室外機を段積みするために、下方の室外機の骨組で上方の室外機を支えることができるように、ファンガードは天面パネルの一部を凹ませたファンガード取付部内に天面パネルの上方に突出しないように収納されている。したがって、ファンガードと送風機との間のクリアランスが少ないため、ファンガードの変形量が大きいと、ファンガードが送風機に接触して、送風機が破損することがある。また、ファンガードが天面パネルに直にネジ止めされているため、送風機や圧縮機の振動が天面パネルに伝播し、天面パネルとファンガードがぶつかり合ってビビリ音が発生することがある。ビビリ音の発生を防止するためには、ファンガードをより強固に筐体に固定すればよいが、ネジ止め部とネジの数およびネジ止め作業の工数が増えるため好ましくない。
【先行技術文献】
【特許文献】
【０００７】
【特許文献１】日本特許第５４０２９８７号公報
【発明の概要】
【発明が解決しようとする課題】
【０００８】
そこで、本発明の課題は、ファンガードの機械的強度を高めてファンガードの変形を抑え、さらにビビリ音の発生を防止することができる空気調和機の室外機を提供することにある。
【課題を解決するための手段】
【０００９】
上述した課題を解決するため、本発明は、筐体の内部に送風機を有し、上記筐体の天面には上記送風機の空気吹出口を有する天面パネルが設けられており、上記天面パネルには上記空気吹出口を覆うファンガードを取り付けるファンガード取付部が所定深さの凹部として設けられている空気調和機の室外機において、上記ファンガードは、横桟部と、縦桟部とを有し、上記横桟部または上記縦桟部の両端部の前端から後端にかけて連続して固定された左右一対の固定板を有し、上記固定板は、上記ファンガード取付部に固定されるベース部と、上記ベース部の上記空気吹出口側の一端から上方に向かって立ち上がる起立部と、上記起立部の先端から上記ベース部とは離反する方向に向かって延在する支持部とを有する断面クランク状に形成され、上記支持部に上記横桟部または上記縦桟部の端部が支持され、上記ファンガードが上記固定板を介して上記ファンガード取付部に固定されることを特徴としている。
【００１０】
より好ましい態様として、上記横桟部の上に上記縦桟部が配置されているとともに、上記支持部の下面側に上記横桟部の端部が支持されており、上記横桟部が上記ファンガード取付部に接しないように、上記起立部の立ち上がり高さＨが上記横桟部の直径φ１よりも大きい（Ｈ＞φ１）を特徴としている。
【発明の効果】
【００１１】
本発明によれば、ファンガードの横桟部または縦桟部の両端の前端から後端にかけて連続して固定部で固定し、固定部を介して天面パネルに固定することにより、ファンガードの機械的強度を高め、変形を抑えることができる。また、横桟部が直接天面パネルに触れないようになっているため、天面パネルにファンガードが触れてビビリ音が発生することを防止できる。
【図面の簡単な説明】
【００１２】
【図１】本発明の一実施形態に係る空気調和機の室外機の斜視図。
【図２】上記空気調和機の室外機の平面図。
【図３】上記空気調和機の室外機の一部を分解した分解斜視図。
【図４】上記空気調和機の室外機のファンガードの斜視図。
【図５】上記ファンガードの正面図。
【図６】（ａ）図２のＡ−Ａ線部分断面図および（ｂ）その部分拡大断面図。
【図７】図２のＢ−Ｂ線部分断面図
【発明を実施するための形態】
【００１３】
次に、本発明の一実施形態について図面を参照しながら説明するが、本発明はこれに限定されるものではない。
【００１４】
図１ないし図３に示すように、この空気調和機の室外機１は、左右方向（図１では左右方向）に横長な直方体形状の筐体２を有し、筐体２の内部が熱交換器３および圧縮機等（図示しない）を有する機械室ＭＣと、送風機４を有する送風機室ＦＣとに区画されている。この実施形態において、機械室ＭＣは筐体２内の下部に配置されており、機械室ＭＣの上方に送風機室ＦＣが配置されている。
【００１５】
筐体２は、基本的な構造として、被設置面に設置される長方形状のベースパネル２０と、ベースパネル２０の左側端に立設される左サイドパネル２１Ｌと、ベースパネル２０の右側端に立設される右サイドパネル２１Ｒと、左サイドパネル２１Ｌの前端と右サイドパネル２１Ｒの前端との間に水平に掛け渡されるフロントビーム２２Ｆ（図３参照）と、左サイドパネル２１Ｌの後端と右サイドパネル２１Ｒの後端との間に水平に掛け渡されるリアビーム２２Ｒ（図３参照）とを備えている。
【００１６】
この実施形態において、フロントビーム２２Ｆおよびリアビーム２２Ｒは、筐体２の機械室ＭＣの熱交換器３の上方に配置されて送風機室ＦＣとの境界となる。フロントビーム２２Ｆおよびリアビーム２２Ｒ同士は同一平面上で互いに水平に配置されている。
【００１７】
筐体２の機械室ＭＣの前面にはフロントパネル２６が取り付けられている。フロントパネル２６は、機械室ＭＣの前面を閉塞する横長な金属パネルであり、左右両端が左サイドパネル２１Ｌおよび右サイドパネル２１Ｒの前端にネジ止めされ、上端側が天面パネル２３にネジ止めされ、下端側がフロントビーム２２Ｆにネジ止めされている。
【００１８】
筐体２の機械室ＭＣの背面側にも同様のリアパネル（図示しない）が取り付けられている。リアパネルは機械室ＭＣの背面を閉塞する横長な金属パネルであり、左右両端が左サイドパネル２１Ｌおよび右サイドパネル２１Ｒの後端にネジ止めされ、上端側が天面パネル２３にネジ止めされ、下端側がリアビーム２２Ｒにネジ止めされている。
【００１９】
フロントビーム２２Ｆおよびリアビーム２２Ｒには、送風機４を載置するモータブラケット４１が設けられている。モータブラケット４１は、フロントビーム２２Ｆとリアビーム２２Ｒとの間に平行に掛け渡される一対の梁部材４１１，４１１を有し、梁部材４１１，４１１の両端がフロントビーム２２Ｆとリアビーム２２Ｒに対してそれぞれネジ止め固定されている。
【００２０】
モータブラケット４１には、送風機４のファンモータ４２が搭載されており、ファンモータ４２の回転軸４２１にプロペラファン４３が取り付けられている。送風機室ＦＣにはさらに、送風機４のベルマウス５が設けられている。
【００２１】
ベルマウス５は、四角い台座部５１の上面からベルマウス本体５２が上方に向かって突設されており、プロペラファン４３の外周を囲むように配置されている。台座部５１は、前端がフロントビーム２２Ｆの上に載置されてネジ止めされており、後端がリアビーム２２Ｒの上に載置されてネジ止めされている。ベルマウス本体５２は、台座部５１からプロペラファン４３の取付位置まではほぼストレートな筒状に形成されており、プロペラファン４３の上端から上端開口５２１（図３では上端）に向かうにつれて、その開口径が漸次大きくなるように形成されている。
【００２２】
ベルマウス本体５２の上端には、フランジ部５３がベルマウス本体５２の上端から外周方向に向かって台座部５１と平行になるように形成されている。この実施形態において、フランジ部５３は、ベルマウス本体５２の左右方向（図３では左右方向）に向かって突設された第１フランジ部５３１と、ベルマウス本体５２の前後方向（図３では前後方向）に向かって突設された第２フランジ部５３２とを有し、第１フランジ部５３１の幅が第２フランジ部５３２の幅よりも大きく形成されている。
【００２３】
ベルマウス本体５２の側面外周には、ベルマウス本体５２の機械的強度を高めるための補強リブ５４が設けられている。補強リブ５４は、ベルマウス本体５２の側面に上下方向にそれぞれが平行となるように形成されており、この実施形態では左右側面に４箇所ずつ（合計８箇所）設けられている。
【００２４】
筐体２の上面（送風機室ＭＣの上面）には、天面パネル２３が左サイドパネル２１Ｌの上端と右サイドパネル２１Ｒの上端に固定されている。天面パネル２３は、筐体２の上面を閉塞する横長な長方形状の金属パネルであって、その中央には送風機４の空気吹出口１１が形成されている。
【００２５】
空気吹出口１１は、ベルマウス本体５１の上端開口５２１に合致するように形成されており、図６および図７に示すように、天面パネル２３の背面（裏面）にベルマウス本体５２のフランジ部５３が当接するようになっている。
【００２６】
これによれば、ベルマウス５の下端はフロントビーム２２Ｆとリアビーム２２Ｒに固定されているため、天面パネル２３にかかる荷重がベルマウス５にもかかりベルマウス５からフロントビーム２２Ｆとリアビーム２２Ｒに伝わることで、筐体２で受け止める。
【００２７】
図３に示すように、天面パネル２３には、後述するファンガード６がネジ止めされるファンガード取付部２３１が設けられている。ファンガード取付部２３１は、空気吹出口１１の周囲に天面パネル２３の上面からファンガード６の外形に合わせて一段低く形成された凹部である。この実施形態において、ファンガード取付部２３１の左右両側には、それぞれ３箇所ずつネジ孔２３２が設けられている。
【００２８】
図６を併せて参照して、ファンガード取付部２３１の深さをＤ，ファンガード６の高さをＴとしたとき、ファンガード取付部２３１は、深さＤ＞高さＴを満足するように形成されている。これによれば、ファンガード６は天面パネル２３の上方に突出しないようにファンガード取付部２３１内に収納される。
【００２９】
次に、図４〜図７参照して、ファンガード６は、天面パネル２３の左右方向に延在し、所定間隔Ｐ１をもって互いに平行に配置された複数本の線材からなる横桟部６１と、天面パネル２３の前後方向に延在し、所定間隔Ｐ２をもって互いに平行に配置された複数本の線材からなる縦桟部６２と、横桟部６１の両端部６１Ｌ，６１Ｒの前端から後端にかけて連続して延在する左右一対の固定板６３とを有している。
【００３０】
この実施形態において、ファンガード６は、横桟部６１および縦桟部６２はともに軟鋼線材が用いられており、横桟部６１の線材の直径をφ１、縦桟部６２の線材の直径をφ２としたとき、横桟部６１の直径φ１が縦桟部６２の直径φ２よりも大きく（φ１＞φ２）設計されている。
【００３１】
なお、本発明において、ファンガード６は、直径φ１の太い線材を横桟部６１、直径φ２の細い線材を用いた部分を縦桟部６２とする。これによれば、直径の太い横桟部６１にファンガード取付部２３１を取り付けることで、ファンガード６の機械的強度を高めることができる。その結果、ファンガード６の変形を防止することができる。
【００３２】
また、ファンガード６は、横桟部６１および縦桟部６２の各間隔Ｐ１，Ｐ２がＰ１≧Ｐ２を満足するように格子状に配置されている。この実施形態において、間隔Ｐ２は、間隔Ｐ１の約１／３に設計されている。これによれば、横桟部６１でファンガード６の機械的強度を確保しつつ、縦桟部６２の間隔Ｐ２を狭く配置することで、物がファンガード６を通って送風機４内に落下したり、ファンガード６の隙間から指が入ることを防ぐことができる。
【００３３】
図６に示すように、縦桟部６２は、横桟部６１の上面（図６（ａ）では上面）に配置され、横桟部６１との交差部で溶接したのち、その表面を塩ビ樹脂で被覆している。なお、横桟部６１と縦桟部６２の固定方法、固定箇所、被覆処理は仕様に応じて任意に変更可能である。
【００３４】
この実施形態において、ファンガード６は、中央部分にさらに横桟部６１に沿って平行、かつ、横桟部６１の間に所定間隔で補助桟部６１１が設けられている。補助桟部６１１は、プロペラファン４３の中央部分は風が出ないが、渦流が発生することを抑えるために設けるものである。
【００３５】
固定板６３は、横桟部６１の左端部６１Ｌの前端から後端（図５では左下端から左上端）にかけて連続して形成された左固定板６３Ｌと、横桟部６１の右端部６１Ｒの前端から後端（図５では右下端から右上端）にかけて連続して形成された右固定板６３Ｒとを備えている。左固定板６３Ｌ，右固定板６３Ｒはともに同一形状のため、以下においては一方の左固定板６３Ｌについてのみ説明する。
【００３６】
図６を参照して、左固定板６３Ｌは、１枚の金属板をプレス成型したものからなり、天面パネル２３に固定されるベース部６４と、ベース部６４の一端から天面パネル２３の上方に向かって立設される起立部６５と、起立部６５の先端から上記ベース部６４と平行であり、かつ、上記ベース部６４から離反する方向に向かって延在する支持部６６とを有する断面クランク状に形成されている。
【００３７】
ベース部６４は、天面パネル２３のファンガード取付部２３１の底部に沿って取り付けられ、前端、中央および後端の３箇所にネジ孔６４１が穿設されている。起立部６５は、ベース部６４の一端（図６では右端）から天面パネル２３の上方に向けて垂直に立設され、高さＨが横桟部６１の直径φ１よりも大きく（Ｈ＞φ１）なるように形成されている。
【００３８】
支持部６６は、起立部６５の上端（図６では上端）からほぼ直角に折り曲げられ、天面パネル２３に対して平行に形成されており、その下面６６１に沿って横桟部６１が、例えばスポット溶接などによって固定されている。
【００３９】
これによれば、図６に示すように、支持部６６の下面６６１に横桟部６１の両端部６１Ｌ，６１Ｒが固定され、さらに起立部６５の高さＨが横桟部６１の直径φ１よりも大きくしたことにより、横桟部６１の下面とファンガード取付部２３１の底面との間に所定の空隙Ｃが確保されるため、横桟部６１とファンガード取付部２３１とが振動によって接触してビビリ音が発生することを防止される。
【００４０】
また、ファンガード６の横桟部６１の両端部６１Ｌ，６１Ｒが固定板６３を介して天面パネル２３にネジ止めされるため、たとえファンガード６に大きな荷重が加わったとしても、横桟部６１の機械的強度が高められているため、変形を小さく抑えることができる。
【００４１】
この実施形態において、天面パネル２３は左右に横長な長方形状に形成され、そこに横長のファンガード６が配置されており、天面パネル２３の左右方向に沿って横桟部６１が配置され、天面パネル２３の前後方向に沿って縦桟部６２が配置されているが、例えば天面パネルが正方形状などの場合は、天面パネル２３の前後方向に横桟部６１を配置し、天面パネル２３の左右方向に縦桟部６２を配置する態様も本発明に含まれる。このように、ファンガード６の横桟部６１および縦桟部６２の向きは、天面パネル２３やファンガード取付部２３１の形状に合わせて任意に変更可能である。
【００４２】
以上説明したように、本発明によれば、ファンガードの横桟部の両端の前端から後端にかけて連続して固定板で固定し、固定板を介して天面パネルに固定することにより、ファンガードの機械的強度が高められるため、変形を抑えることができる。また、横桟部が直接天面パネルに触れないようになっているため、天面パネルにファンガードが触れてビビリ音が発生することを防止できる。
【符号の説明】
【００４３】
１  空気調和機の室外機
１１  空気吸込口
２  筐体
２０  ベースパネル
２１Ｌ  左サイドパネル
２１Ｒ  右サイドパネル
２２Ｆ  フロントビーム
２２Ｒ  リアビーム
２３  天面パネル
２３１  ファンガード取付部
４  送風機
５  ベルマウス
６  ファンガード
６１  横桟部
６１Ｌ  左端部
６１Ｒ  右端部
６２  縦桟部
６３（６３Ｌ，６３Ｒ）  固定板
６４  ベース部
６５  起立部
６６  支持部
ＭＣ  機械室
ＦＣ  送風機室
【図１】
0006730671.tif 000002
【図２】
0006730671.tif 000003
【図３】
0006730671.tif 000004
【図４】
0006730671.tif 000005
【図５】
0006730671.tif 000006
【図６】
0006730671.tif 000007
【図７】
0006730671.tif 000008